(57)【特許請求の範囲】
【請求項１】
土間コンクリートの一部領域を仕切る枠体と、
該枠体の中央に管体を保持可能に形成されたホルダーと、を備え、その表面がコンクリートから剥離容易に形成された仕切型枠であって、
前記ホルダーは、前記管体を保持するとともに、２以上に分離可能な管保持部と、該管保持部から前記枠体に向かって伸びて当該枠体の内面に形成された係止溝にその端部が係止される複数の壁部とを有することを特徴とする仕切型枠。
【請求項２】
前記枠体は少なくとも２辺が略平行な略矩形に形成されており、当該略平行する２辺の内面には前記係止溝が複数連設されることを特徴とする請求項１に記載の仕切型枠。
【請求項３】
土間コンクリートの一部領域を仕切る矩形の枠体と、
該枠体の４隅から内側に向かって伸びる弾性体により形成されたヒレ部と、を備えた仕切型枠であって、
前記ヒレ部の先端部が前記枠体の中央に挿入される管体にそれぞれ当接して、当該管体を保持することを特徴とする仕切型枠。
【請求項４】
前記枠体は、隅部が湾曲して形成されることを特徴とする請求項２又は請求項３に記載の仕切型枠。
【請求項５】
予め請求項１から請求項４のいずれかに記載の仕切型枠を設置して、当該仕切型枠の中央に管体を保持させて、その後、コンクリートを打設して土間コンクリートを形成しておき、
前記管体を交換又はメンテナンスするときに、前記仕切型枠の内側のコンクリートに衝撃を与えて破砕し、
次いで、破砕したコンクリートを取り除いて管体を交換又はメンテナンスし、
その後、前記仕切型枠の内側にコンクリート又はモルタルを打設することを特徴とする土間コンクリート貫通配管のメンテナンス方法。
【請求項６】
予め請求項１から請求項４のいずれかに記載の仕切型枠を埋設した状態でコンクリートを打設して土間コンクリートを形成しておき、
当該土間コンクリートに管体を貫通させる必要が生じたときに、前記仕切型枠の内側のコンクリートに衝撃を与えて破砕し、
次いで、当該破砕したコンクリートを取り除いて管体を配設し、
その後、前記仕切型枠の内側にコンクリート又はモルタルを打設することを特徴とする土間コンクリート貫通配管の後付方法。
【発明の詳細な説明】
【技術分野】
【０００１】
本発明は、土間コンクリートに管体を貫通させる際に用いる仕切型枠、この仕切型枠を用いた土間コンクリート貫通配管のメンテナンス方法、及び土間コンクリート貫通配管の後付方法に関し、特に、土間コンクリートに貫通した管体のメンテナンスや交換を容易にする仕切型枠、土間コンクリート貫通配管のメンテナンス方法、及び土間コンクリート貫通配管の後付方法に関する。
【背景技術】
【０００２】
近年住宅の建築においては住宅の長寿命化に伴い、また、長期優良住宅認定制度の施行に伴い、各部位に高いメンテナンス性が求められている。従来、住宅の床下から基礎を貫通して外部に敷設される給水管、排水管等の床下配管を施工するときには、まず土間コンクリートを打設する前に給水配管、排水配管等の管体を床下の地面上に敷設しておき、その後、土間コンクリートを打設して各配管の管体を土間コンクリート内に埋設させて施工していた。
【０００３】
しかし、このような施工方法を採用すると、管体と土間コンクリートとが一体となるので、経年後のメンテナンスや増改築等を行うに際して管体の取付、交換、又は除去が必要になった場合、土間コンクリートの相当部分を打ち壊す必要が生じ、工事が大掛かりとなり、工期も長くなるという問題があった。
【０００４】
そこで、図１１に示すように、布基礎１００の屋内側に隣接させて上方が開放される中空のコンクリート体であるピット部１０１を形成し、布基礎の屋内側の内このピット部１０１を除いた部分に土間コンクリート１０２を打設することにより、ピット部１０１内を利用して排水管１０３を配管するようにした配管構造１０４が提案されている（例えば特許文献１）。これによると布基礎１００を貫通する排水管１０３が屋内側に形成されたピット部１０１で屋内に引き込まれるので、経年後のメンテナンスや増改築等を行うに際して、土間コンクリート１０２を打ち壊す必要がなく排水管１０３の取付け、交換、又は除去を、容易且つ短期間で行うことができる。
【先行技術文献】
【特許文献】
【０００５】
【特許文献１】特開２００２−２２７４１０号公報
【発明の概要】
【発明が解決しようとする課題】
【０００６】
しかし、上述のようなピット部１０１を形成するためには複雑な形状の型枠が必要であり、作業工程も多くなるので、コストが高くなる問題がある。
【０００７】
そこで本発明は、土間コンクリートを貫通する管体のメンテナンスを容易にすることができる仕切型枠であって、簡単な施工工程で、将来的なリフォームにも対応することができる仕切型枠、土間コンクリート貫通配管のメンテナンス方法、土間コンクリート貫通配管の後付方法を提供することを目的とする。
【課題を解決するための手段】
【０００８】
請求項１に記載の仕切型枠は、土間コンクリートの一部領域を仕切る枠体と、該枠体の中央に管体を保持可能に形成されたホルダーと、を備え、その表面がコンクリートから剥離容易に形成された仕切型枠であって、前記ホルダーは、前記管体を保持するとともに、２以上に分離可能な管保持部と、該管保持部から前記枠体に向かって伸びて当該枠体の内面に形成された係止溝にその端部が係止される複数の壁部とを有することを特徴としている。
【０００９】
請求項２に記載の仕切型枠は、前記枠体は少なくとも２辺が略平行な略矩形に形成されており、当該略平行する２辺の内面には前記係止溝が複数連設されることを特徴としている。
【００１０】
請求項３に記載の仕切型枠は、土間コンクリートの一部領域を仕切る枠体と、該枠体の４隅から内側に向かって伸びる弾性体により形成されたヒレ部と、を備えた仕切型枠であって、前記ヒレ部の先端部が前記枠体の中央に挿入される管体にそれぞれ当接して、当該管体を保持することを特徴としている。
【００１１】
請求項４に記載の仕切型枠は、前記枠体は、隅部が湾曲して形成されることを特徴としている。
【００１２】
請求項５に記載の土間コンクリート貫通配管のメンテナンス方法は、予め請求項１から請求項４のいずれかに記載の仕切型枠を設置して、当該仕切型枠の中央に管体を保持させて、その後、コンクリートを打設して土間コンクリートを形成しておき、前記管体を交換又はメンテナンスするときに、前記仕切型枠の内側のコンクリートに衝撃を与えて破砕し、次いで、破砕したコンクリートを取り除いて管体を交換又はメンテナンスし、その後、前記仕切型枠の内側にコンクリート又はモルタルを打設することを特徴としている。
【００１３】
請求項６に記載の土間コンクリート貫通配管の後付方法は、予め請求項１から請求項４のいずれかに記載の仕切型枠を埋設した状態でコンクリートを打設して土間コンクリートを形成しておき、当該土間コンクリートに管体を貫通させる必要が生じたときに、前記仕切型枠の内側のコンクリートに衝撃を与えて破砕し、次いで、当該破砕したコンクリートを取り除いて管体を配設し、その後、前記仕切型枠の内側にコンクリート又はモルタルを打設することを特徴としている。
【発明の効果】
【００１４】
請求項１に記載の仕切型枠によると、枠体が土間コンクリートの一部領域を仕切っているとともに、ホルダーにより枠体の中央に管体が保持されており、ホルダーは、管保持部が２以上に分離可能であるとともにこの管保持部から枠体に向かって複数の壁部が伸びており、この仕切型枠の表面はコンクリートから剥離容易に形成されているので、予め管体を保持させた仕切型枠を土間コンクリートに埋設しておき、管体を交換やメンテナンスする際に、仕切型枠内のコンクリートに衝撃を与えることで、仕切型枠外の土間コンクリートを破損することなく、仕切型枠内のコンクリートのみを極めて容易に破砕することができる。
【００１５】
請求項２に記載の仕切型枠によると、枠体は少なくとも２辺が略平行な略矩形に形成されており、当該略平行の２辺の内面には係止溝が複数連設されるので、ホルダーの壁部の先端を係り止めする係止溝に合わせて調整することにより、ホルダーの設置位置を調整することができる。したがってこのホルダーに保持される管体の設置位置も調整することができる。
【００１６】
請求項３に記載の仕切型枠は、枠体の４隅から伸びて先端で管体を保持するヒレ部が弾性体により形成されることにより、施工過程で管体の位置が若干移動してもこの移動にヒレ部が追従して変形し、管体を保持し続けることができ、施工がより容易になる。
【００１７】
請求項４に記載の仕切型枠によると、枠体の隅部が湾曲して形成されているので土間コンクリートを打設後の乾燥時にクラックが発生することを抑制することができる。
【００１８】
請求項５に記載の土間コンクリート貫通配管のメンテナンス方法によると、予め仕切型枠を設置して土間コンクリートを打設しているので、管体を交換又はメンテナンスするときに、仕切型枠の内側のコンクリートに衝撃を与えて破砕することで、この仕切型枠の外の土間コンクリートを破損することなく、仕切型枠内のコンクリートのみを簡単に破砕することができ、容易に管体を交換又はメンテナンスすることができる。
【００１９】
請求項６に記載の土間コンクリート貫通配管の後付方法は、予め仕切型枠を埋設した状態でコンクリートを打設して土間コンクリートを形成しているので、土間コンクリートに管体を貫通させる必要が生じたときに、仕切型枠の内側のコンクリートに衝撃を与えて破砕して管体を配設することができ、容易に管体を後付することができる。
【図面の簡単な説明】
【００２０】
【図１】仕切型枠の構成を示す斜視図。
【図２】仕切型枠の構成を示す正面図。
【図３】土間コンクリートを打設する前の床下配管の状態を示す図。
【図４】土間コンクリートを打設した後の床下配管の状態を示す図。
【図５】管保持部が管体を略４５度に保持する仕切型枠を示す正面図。
【図６】管保持部が管体を略４５度に保持する仕切型枠を示す断面図。
【図７】管保持部が管体を略４５度に保持する仕切型枠を用いた床下配管の状態を示す図。
【図８】壁部の中間部からさらに枠体に向かって壁部が延びる仕切型枠を示す正面図。
【図９】管保持部から放射状に壁部が延びる仕切型枠を示す正面図。
【図１０】枠体の４隅から内側に向かって伸びる弾性体により形成されたヒレ部により中央に管体を保持する仕切型枠を示す正面図。
【図１１】従来の配管構造の一例を示す図。
【発明を実施するための形態】
【００２１】
以下、本発明の仕切型枠１、土間コンクリート貫通配管のメンテナンス方法、及び土間コンクリート貫通配管の後付方法の最良の実施形態について、各図を参照しつつ説明する。この実施形態の仕切型枠１は、図１に示すように、略矩形に形成された枠体２と、この枠体２の内側に嵌め込まれて管体３を保持可能なホルダー４と、により構成されている。
【００２２】
枠体２は、図２及び図３に示すように、高さが約６０ｍｍで、基礎５の外周立上がり部６に対して平行に配置された長さが４００ｍｍ程度の枠壁２１ａ，２１ｂと、基礎５の外周立上がり部６に対して垂直に配置された長さが３００ｍｍ程度の枠壁２１ｃ，２１ｄと、により上下に開放された矩形状に形成された樹脂である。基礎５の外周立上がり部６に対して平行な枠壁２１ａ，２１ｂの内側面にはそれぞれ長さ方向の中央に２本の凸条２２が形成されており、この２本の凸条２２の間が係止溝２３としてホルダー４に形成された壁部４１の先端を係止することができるように形成されている。また、基礎５の外周立上がり部６に対して垂直な枠壁２１ｃ，２１ｄの内側面にはそれぞれ８本の凸条２２が連設されて形成されておりこれらの凸条２２の間がそれぞれ係止溝２３としてホルダー４の先端に形成された壁部４１の先端を係止することができるように形成されている。
【００２３】
また、枠体２は、設置したときに基礎５の外周立上がり部６から離反する側の２隅２４がそれぞれ円弧状に湾曲して形成されている。これにより、２隅２４が尖らないので土間コンクリート７打設後の乾燥時にコンクリートクラックが発生することを抑制することができる。枠体２の基礎５の外周立上がり部６に近接する側の２隅２５は上下にそれぞれ外周立上がり部６に向かって５０ｍｍ程度突出するスペーサ２６が形成されている。このスペーサ２６は先端が基礎５の外周立上がり部６に当接することにより、枠体２を鉛直に立ち上がっている外周立上がり部６に対して平行に保持することができ、枠体２の高さ方向を鉛直に保つことができる。また、外周立上がり部６に近接する枠体２の枠壁２１ｂと外周立上がり部６との間に５０ｍｍ程度のスペースを開けることができるので、枠壁２１ｂと外周立上がり部６との間に確実にコンクリートを打設することができる。
【００２４】
また、枠体２の基礎５の外周立上がり部６に近接する枠壁２１ｂの下部は下方に２０ｍｍ程度突出して形成されている。したがって、枠体２の下の地面ＧＬに埋設されている管体３との間に少なくとも２０ｍｍ程度の間隔を保持することができるので土間コンクリート７打設時に管体３の一部がコンクリートに埋設されることを防ぐことができる。
【００２５】
枠体２は、コンクリートに対する剥離性の高い樹脂により形成されている。なお、例えば、枠体２は、例えばコンクリートに対する剥離性の低い樹脂又は木材で形成し、その表面にコンクリートに対する剥離性の高い樹脂シート等を貼付するものであってもよい。
【００２６】
ホルダー４は、図１に示すように、２つに分離可能な高さが６０ｍｍ程度の円筒状の管保持部４２と、この管保持部４２から枠体２に向かって伸びる４本の壁部４１とを有する。管保持部４２は、円筒を縦に２つに分離させるように、第１片４２ａと第２片４２ｂとに分離させた形状であって、その内径が例えば排水用配管などの管体３の外径とほぼ同一か又は若干大きく形成されており、管体３に外嵌することができる形状である。壁部４１は、高さ６０ｍｍ程度であって、管保持部４２の第１片４２ａの外周面から２本伸びており、第２片４２ｂからも２本伸びている。
【００２７】
ホルダー４は管保持部４２の両片４２ａ，４２ｂを互いに当接させた状態で枠体２内に挿入される。このとき、ホルダー４の壁部４１は管保持部４２を中心とする十字状に、枠体２の各枠壁２１ａ，ｂ，ｃ，ｄに対してそれぞれ垂直になるように配置されている。各壁部４１の先端がそれぞれ枠体２１の係止溝２３に挿入されることにより、枠体２内に保持される。基礎５の外周立上がり部６に対して平行に配置される２本の壁部４１は、枠体２の係止溝２３にちょうど収まる長さに形成されており、基礎５の外周立上がり部６に対して垂直に配置される２本の壁部４１は、図２に２点鎖線で示すように枠体２の係止溝２３の位置よりも長く形成されている。基礎５の外周立上がり部６に対して垂直に配置される２本の壁部４１は、予め管保持部４２に外嵌される管体３の位置に応じて枠体２の係止溝２３に収まるように切断する。一方基礎５の外周立上がり部６に対して平行に配置される２本の壁部４１は、それぞれの枠壁２１ｃ，ｄに連設されている係止溝２３の中から管体３の位置に応じて適切な係止溝２３を選択して壁部４１の先端を挿入する。このように構成することで、図２に示すように、仕切型枠１は壁部４１により内部の空間を管保持部４２を除いて４分割するように形成され、また管保持部４２の基礎５の外周立上がり部６からの距離を自由に調節することができ、管体３を適切な位置に保持することができる。
【００２８】
このような仕切型枠１を用いて、建物の床下配管を施工する際には、図３に示すように、まず、地盤の所定位置を溝状に掘削して、図示しない割栗石、捨てコン等を敷設した上に、基礎５を構築する。基礎５内部には鉄筋５１が配設されるとともに、基礎５の地面ＧＬよりも低い位置にスリーブ５２が貫通して設けられている。そして、次に、スリーブ５２に管体３を挿入するとともに、エルボ８を介して、管体３が上方を向くように配設する。
【００２９】
そして管体３を配設した後、地面ＧＬを埋め戻し、図示しない粒状防蟻剤などを処理した上で、図３に示すように、管体３を管保持部４２が外嵌するようにして仕切型枠１を設置する。外周立上がり部６の屋内側面には、土間コンクリート７の上面の高さ位置に墨打ちがされており、仕切型枠１の上端がこの墨打ち位置に当接するように仕切型枠１を配置する。また、仕切型枠１の外周立上がり部６側にはスペーサ２６が形成されており、このスペーサ２６が外周立上がり部６に当接することにより、仕切型枠１を水平に保持することができる。また、仕切型枠１の外周立上がり部６側の枠壁２１ｂは、下部が２０ｍｍ突出して形成されているので、この突出する部分を地面ＧＬに埋め込んでおく。そして、図４に示すように、次に外周立上がり部６の内側に土間コンクリート７を打設するとともに、仕切型枠１内にもコンクリートを打設する。仕切型枠１の外周立上がり部６側の枠壁２１ｂは下部が２０ｍｍ地面ＧＬに埋め込まれているので、管体３は少なくとも２０ｍｍ以上地面ＧＬから下方に埋設されているので、管体３の一部がコンクリート内に埋め込まれることを防ぐことができる。
【００３０】
以上のように、土間コンクリート７を打設する際に仕切型枠１内にもコンクリートを打設することができるので、一回の工程で土間コンクリート７と仕切型枠１内とにコンクリートを打設することができ、作業工程を少なくすることができ、養生時間を短縮することができるとともにコンクリートの品質管理を容易とすることができる。
【００３１】
一方、以上のように構成した床下配管を経年劣化などにより交換、除去等のメンテナンスをする場合には、まず、仕切型枠１の内側のコンクリートに衝撃を与えることで、仕切型枠１内のコンクリートを破砕する。仕切型枠１はコンクリートに対する剥離性の高い樹脂で構成されており、また、図２に示すように仕切型枠１は壁部４１により内部が４分割されているので、比較的容易にコンクリートを破砕することができる。このように、仕切型枠１は内部のコンクリートが比較的容易に破砕することができる構成であるので、仕切型枠１の外側の土間コンクリート７を破損することを抑制することができる。そして、破砕したコンクリートを取り除いて、管保持部４２に保持されている管体３を交換又は除去等のメンテナンスを行い、その後、仕切型枠１の内側に新たにコンクリート又はモルタルを打設することによりメンテナンスを終了させる。
【００３２】
このように仕切型枠１はコンクリートに対する剥離性が高く、内側のコンクリートは壁部４１により複数に分割されているので、極めて容易に破砕することができ、仕切型枠１の外側の土間コンクリート７を破損することなく、極めて簡単に管体３のメンテナンスを行うことができる。
【００３３】
なお、新築の際には配管を貫通させない位置の土間コンクリート７に予め仕切型枠１を埋設しておくことで、将来的なリフォームに対応することもできる。具体的には、基礎５を打設する際に予めスリーブ５２を形成しておくとともに、土間コンクリート７を打設する際に仕切型枠１を埋設しておき、リフォームなどにより屋内から屋外に管体３を敷設する必要が生じたときに、仕切型枠１内のコンクリートに衝撃を与えて破砕し、次いで、破砕したコンクリートを取り除いて、地面ＧＬを掘り起こしてスリーブ５２に挿入した管体３を仕切型枠１のホルダー４の管保持部４２に保持させて、その後、仕切型枠１の内側にコンクリート又はモルタルを打設することにより、新たに管体３を敷設することができる。
【００３４】
このように、リフォームなどで新たに土間コンクリート７に管体３を貫通させる必要が生じたときにも、仕切型枠１の内側のコンクリートに衝撃を与えることにより容易に破砕することができ、仕切型枠１の外側の土間コンクリート７を破損することなく極めて簡単に床下配管を新設することができる。
【００３５】
なお、本実施形態においては、図４などに示すように、管体３を略直角のエルボ８で曲げて、仕切型枠１の管保持部４２で略鉛直方向に保持する例を説明したが、例えばホルダー４は図５及び図６に示すように、床下配管の設計に応じて管体３を略鉛直に保持するものと管体３を略４５度に保持するものとを選択できる構成としてもよい。このように管体３を略４５度で保持する場合、図７に示すように、スリーブ５２に挿入された配管に４５度のエルボ８を介して屋内側に管体３を引き込むことができる。
【００３６】
また、本実施形態においては、管保持部４２から４本の壁部４１が延びる構成であるが、これに限定されるものではない。例えば図８に示すように、壁部４１の中間部からさらに枠体２に向かって壁部４１が延びる構成であってもよい。また、図９に示すように、管保持部４２から放射状に８本の壁部４１が延びる構成であってもよい。このように構成すると、枠体２内の空間をより細分化することができるので、コンクリートに衝撃を与えて破砕する際により小さな衝撃でより容易に破砕することができる。
【００３７】
なお、仕切型枠１の形状はこれに限定されるものではなく、図１０に示すように枠体２の４隅から内側に向かって伸びる弾性体により形成されたヒレ部９により中央に管体３を保持する構成であってもよい。具体的には、ヒレ部９の先端部が弾性変形しつつ枠体２の中央に挿入される管体３にそれぞれ当接して、管体３を保持するとともに仕切型枠１内の空間を分割する構成であってもよい。このように構成しても、仕切型枠１内の空間が分割されるのでメンテナンスの際にコンクリートを容易に破砕することができ、また管体３を施工する過程では、管体３の位置が若干移動してもこの移動にヒレ部９が追従して変形し、管体３を保持し続けることができるので施工をより容易にすることができる。
【００３８】
なお、本発明の実施の形態は上述の形態に限ることなく、本発明の思想の範囲を逸脱しない範囲で適宜変更することができることは云うまでもない。
【００３９】
本実施形態において仕切型枠１は、布基礎の建物床下に形成される土間コンクリート７に埋設されて土間コンクリート７を貫通する床下配管にを保持する構成としたが、例えば仕切型枠１がベタ基礎のスラブに埋設されて、当該スラブを貫通する床下配管を保持する構成でもよい。
【産業上の利用可能性】
【００４０】
本発明に係る仕切型枠１、土間コンクリート貫通配管のメンテナンス方法、土間コンクリート貫通配管の後付方法は住宅の床下配管に好適に用いることができる。
【符号の説明】
【００４１】
１          仕切型枠
２          枠体
３          管体
４          ホルダー
７          土間コンクリート
９          ヒレ部
２３        係止溝
４１        壁部
４２        管保持部
【図１】
0005429074.tif 000002
【図２】
0005429074.tif 000003
【図３】
0005429074.tif 000004
【図４】
0005429074.tif 000005
【図５】
0005429074.tif 000006
【図６】
0005429074.tif 000007
【図７】
0005429074.tif 000008
【図８】
0005429074.tif 000009
【図９】
0005429074.tif 000010
【図１０】
0005429074.tif 000011
【図１１】
0005429074.tif 000012